(57)【要約】【課題】光学性能に優れ、優れた像ぶれ補正機能を有し、レンズ全長が短く小型で軽量なズームレンズ系、交換レンズ装置及びカメラシステムを提供する。【解決手段】物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、像のぶれを光学的に補正するために光軸に対して垂直方向に移動する、第２レンズ群の一部又は第３レンズ群の一部である像ぶれ補正レンズ群を備え、撮像時の広角端から望遠端へのズーミングの際に、第１レンズ群と第２レンズ群とがそれぞれ像面に対して移動し、条件：ＴmainG／ＴsubG＞３．０（ＴmainG：像ぶれ補正レンズ群を含むレンズ群の光軸上での厚み、ＴsubG：像ぶれ補正レンズ群の光軸上での厚み）を満足するズームレンズ系、交換レンズ装置及びカメラシステム。【選択図】図１
2012212106.tif 000002
【特許請求の範囲】
【請求項１】
少なくとも１枚のレンズ素子で構成されたレンズ群を複数有するズームレンズ系であって、
物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、
像のぶれを光学的に補正するために光軸に対して垂直方向に移動する、前記第２レンズ群の一部又は前記第３レンズ群の一部である像ぶれ補正レンズ群を備え、
撮像時の広角端から望遠端へのズーミングの際に、前記第１レンズ群と前記第２レンズ群とがそれぞれ像面に対して移動し、
以下の条件（１）を満足する、ズームレンズ系：
ＴmainG／ＴsubG＞３．０  ・・・（１）
ここで、
ＴmainG：像ぶれ補正レンズ群を含むレンズ群の光軸上での厚み、
ＴsubG：像ぶれ補正レンズ群の光軸上での厚み
である。
【請求項２】
以下の条件（２）を満足する、請求項１に記載のズームレンズ系：
１．３＜ｆ1G／｜ｆsubG｜＜８．５  ・・・（２）
ここで、
ｆ1G：第１レンズ群の焦点距離、
ｆsubG：像ぶれ補正レンズ群の焦点距離
である。
【請求項３】
以下の条件（３）を満足する、請求項１に記載のズームレンズ系：
１．５＜ＬT／｜ｆsubG｜＜９．０  ・・・（３）
ここで、
ＬT：望遠端におけるレンズ全長、
ｆsubG：像ぶれ補正レンズ群の焦点距離
である。
【請求項４】
像ぶれ補正レンズ群が、該像ぶれ補正レンズ群を含むレンズ群の中で、最も像側に配置されている、請求項１に記載のズームレンズ系。
【請求項５】
像ぶれ補正レンズ群が、１枚のレンズ素子からなる、請求項１に記載のズームレンズ系。
【請求項６】
第１レンズ群が、２枚以下のレンズ素子からなる、請求項１に記載のズームレンズ系。
【請求項７】
第５レンズ群が、１枚のレンズ素子からなる、請求項１に記載のズームレンズ系。
【請求項８】
第５レンズ群が、撮像時の広角端から望遠端へのズーミングの際に、像面に対して固定されている、請求項１に記載のズームレンズ系。
【請求項９】
無限遠合焦状態から近接物体合焦状態へのフォーカシングの際に像面に対して移動するフォーカシングレンズ群を備え、
前記フォーカシングレンズ群が、１枚のレンズ素子からなる、請求項１に記載のズームレンズ系。
【請求項１０】
第３レンズ群内の最も物体側の空気レンズが、両凸形状である、請求項１に記載のズームレンズ系。
【請求項１１】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１２】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本発明は、ズームレンズ系、交換レンズ装置及びカメラシステムに関する。特に本発明は、光学性能に優れるのは勿論のこと、優れた像ぶれ補正機能を有すると同時に、レンズ全長が短く小型で軽量なズームレンズ系、該ズームレンズ系を含む交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、レンズ交換をすることなく焦点距離を自在に変化させることができる点で人気がある。
【０００３】
交換レンズ装置に用いるズームレンズ系としては、従来より、広角端から望遠端まで高い光学性能を有するものが求められており、例えば正リードで多群構成のズームレンズ系が種々提案されている。
【０００４】
例えば特許文献１は、正リードの構成で、絞りよりも像側に負のパワーを有するレンズ群が配置され、該負のパワーを有するレンズ群が負のパワーの２つのレンズ成分から構成され、像ぶれ補正レンズ群である一方のレンズ成分を、光軸と垂直方向に移動させて結像位置を変化させるズームレンズを開示している。
【０００５】
特許文献２は、正負正負正の５群構成で、広角端から望遠端への変倍時に、少なくとも第１レンズ群が移動し、各レンズ群間の間隔の変化様態が規定され、第３レンズ群は物体側から順に正のパワーを有する第１部分レンズ群と開口絞りと、正のパワーを有する第２部分レンズ群とからなり、像ぶれ補正レンズ群である第１レンズ部分レンズ群を、光軸と垂直方向に移動させて結像位置を変化させるズームレンズを開示している。
【０００６】
特許文献３は、正負正の３群と少なくとも１つの後続群とを有する構成で、広角端から望遠端への変倍時に、第１レンズ群が物体側に移動し、第２レンズ群が固定で、第３レンズ群が物体側に移動し、像ぶれ補正レンズ群である第３レンズ群の像側部分を、光軸と垂直方向に移動させて結像位置を変化させるズームレンズを開示している。
【０００７】
特許文献４は、正負正負正の５群構成で、防振機能を有するズームレンズであり、第３レンズ群が正のパワーを有するレンズ成分と正のパワーを有する接合レンズとを含み、像ぶれ補正レンズ群である接合レンズを、光軸と垂直方向に移動させて結像位置を変化させ、正のパワーを有するレンズ成分中の正レンズの平均屈折率が規定されているズームレンズを開示している。
【先行技術文献】
【特許文献】
【０００８】
【特許文献１】特開２００５−３５２０５７号公報
【特許文献２】特開２００７−０９３９７７号公報
【特許文献３】特開２００７−２１９０４０号公報
【特許文献４】特開２００８−３０４７０６号公報
【発明の概要】
【発明が解決しようとする課題】
【０００９】
しかしながら、特許文献１〜４に開示のズームレンズはいずれも、ある程度の光学性能を有するものの、像ぶれ補正レンズ群の構成に起因してレンズ全長の短縮化が困難であり、近年要求される小型化が実現されたものではない。
【００１０】
本発明の目的は、光学性能に優れるのは勿論のこと、優れた像ぶれ補正機能を有すると同時に、レンズ全長が短く小型で軽量なズームレンズ系、該ズームレンズ系を含む交換レンズ装置及びカメラシステムを提供することである。
【課題を解決するための手段】
【００１１】
上記目的の１つは、以下のズームレンズ系により達成される。すなわち本発明は、
少なくとも１枚のレンズ素子で構成されたレンズ群を複数有するズームレンズ系であって、
物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、
像のぶれを光学的に補正するために光軸に対して垂直方向に移動する、前記第２レンズ群の一部又は前記第３レンズ群の一部である像ぶれ補正レンズ群を備え、
撮像時の広角端から望遠端へのズーミングの際に、前記第１レンズ群と前記第２レンズ群とがそれぞれ像面に対して移動し、
以下の条件（１）：
ＴmainG／ＴsubG＞３．０  ・・・（１）
（ここで、
ＴmainG：像ぶれ補正レンズ群を含むレンズ群の光軸上での厚み、
ＴsubG：像ぶれ補正レンズ群の光軸上での厚み
である）
を満足する、ズームレンズ系
に関する。
【００１２】
上記目的の１つは、以下の交換レンズ装置により達成される。すなわち本発明は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、
像のぶれを光学的に補正するために光軸に対して垂直方向に移動する、前記第２レンズ群の一部又は前記第３レンズ群の一部である像ぶれ補正レンズ群を備え、
撮像時の広角端から望遠端へのズーミングの際に、前記第１レンズ群と前記第２レンズ群とがそれぞれ像面に対して移動し、
以下の条件（１）：
ＴmainG／ＴsubG＞３．０  ・・・（１）
（ここで、
ＴmainG：像ぶれ補正レンズ群を含むレンズ群の光軸上での厚み、
ＴsubG：像ぶれ補正レンズ群の光軸上での厚み
である）
を満足するズームレンズ系と、
前記ズームレンズ系が形成する光学像を受光して電気的な画像信号に変換する撮像素子を含むカメラ本体との接続が可能なレンズマウント部と
を備える、交換レンズ装置
に関する。
【００１３】
上記目的の１つは、以下のカメラシステムにより達成される。すなわち本発明は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、
像のぶれを光学的に補正するために光軸に対して垂直方向に移動する、前記第２レンズ群の一部又は前記第３レンズ群の一部である像ぶれ補正レンズ群を備え、
撮像時の広角端から望遠端へのズーミングの際に、前記第１レンズ群と前記第２レンズ群とがそれぞれ像面に対して移動し、
以下の条件（１）：
ＴmainG／ＴsubG＞３．０  ・・・（１）
（ここで、
ＴmainG：像ぶれ補正レンズ群を含むレンズ群の光軸上での厚み、
ＴsubG：像ぶれ補正レンズ群の光軸上での厚み
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム
に関する。
【発明の効果】
【００１４】
本発明によれば、光学性能に優れるのは勿論のこと、優れた像ぶれ補正機能を有すると同時に、レンズ全長が短く小型で軽量なズームレンズ系、該ズームレンズ系を含む交換レンズ装置及びカメラシステムを提供することができる。
【図面の簡単な説明】
【００１５】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６に係るレンズ交換式デジタルカメラシステムの概略構成図
【発明を実施するための形態】
【００１６】
（実施の形態１〜５）
図１、４、７、１０及び１３は、各々実施の形態１〜５に係るズームレンズ系のレンズ配置図である。
【００１７】
図１、４、７、１０及び１３はいずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
なお図１、４、７、１０及び１３において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１９】
さらに図１、４、７、１０及び１３に示すように、第２レンズ群Ｇ２と第３レンズ群Ｇ３との間には、開口絞りＡが設けられている。各々実施の形態１〜５に係るズームレンズ系においては、望遠端においても広角端と遜色ないＦナンバーを実現するために、撮像時の広角端から望遠端までのズーミングの際に絞り開放状態の開口絞り径を大きくしている。
【００２０】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とが接合されている。
【００２１】
実施の形態１に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６とからなる。これらのうち、第４レンズ素子Ｌ４と第５レンズ素子Ｌ５とが接合されている。また、第３レンズ素子Ｌ３は、その両面が非球面であり、第６レンズ素子Ｌ６は、その物体側面が非球面である。
【００２２】
実施の形態１に係るズームレンズ系において、第３レンズ群Ｇ３は、物体側から像側へと順に、物体側に凸面を向けた負メニスカス形状の第７レンズ素子Ｌ７と、両凸形状の第８レンズ素子Ｌ８と、像側に凸面を向けた正メニスカス形状の第９レンズ素子Ｌ９と、像側に凸面を向けた負メニスカス形状の第１０レンズ素子Ｌ１０と、両凸形状の第１１レンズ素子Ｌ１１とからなる。これらのうち、第７レンズ素子Ｌ７と第８レンズ素子Ｌ８とが接合されており、第９レンズ素子Ｌ９と第１０レンズ素子Ｌ１０とが接合されている。また、第８レンズ素子Ｌ８は、その像側面が非球面であり、第１１レンズ素子Ｌ１１は、その両面が非球面である。
【００２３】
実施の形態１に係るズームレンズ系において、第４レンズ群Ｇ４は、物体側に凸面を向けた負メニスカス形状の第１２レンズ素子Ｌ１２のみからなる。
【００２４】
実施の形態１に係るズームレンズ系において、第５レンズ群Ｇ５は、像側に凸面を向けた正メニスカス形状の第１３レンズ素子Ｌ１３のみからなる。
【００２５】
実施の形態１に係るズームレンズ系において、撮像時の広角端から望遠端へのズーミングの際に、第１レンズ群Ｇ１は物体側へ移動し、第２レンズ群Ｇ２は物体側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿ってそれぞれ移動する。また、開口絞りＡは、第３レンズ群Ｇ３と一体的に光軸に沿って物体側へ移動する。
【００２６】
また、実施の形態１に係るズームレンズ系において、無限遠合焦状態から近接物体合焦状態へのフォーカシングの際に、第４レンズ群Ｇ４が光軸に沿って像側へと移動する。
【００２７】
さらに、実施の形態１に係るズームレンズ系において、第１１レンズ素子Ｌ１１が後述する像ぶれ補正レンズ群に相当し、該第１１レンズ素子Ｌ１１を光軸に直交する方向に移動させることによって、全系の振動による像点移動を補正する、すなわち、手ぶれ、振動等による像のぶれを光学的に補正することができる。
【００２８】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その像側面が非球面である。
【００２９】
実施の形態２に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５と、像側に凸面を向けた負メニスカス形状の第６レンズ素子Ｌ６とからなる。これらのうち、第４レンズ素子Ｌ４と第５レンズ素子Ｌ５とが接合されている。また、第３レンズ素子Ｌ３は、その両面が非球面であり、第６レンズ素子Ｌ６は、その物体側面が非球面である。
【００３０】
実施の形態２に係るズームレンズ系において、第３レンズ群Ｇ３は、物体側から像側へと順に、物体側に凸面を向けた正メニスカス形状の第７レンズ素子Ｌ７と、像側に凸面を向けた正メニスカス形状の第８レンズ素子Ｌ８と、像側に凸面を向けた負メニスカス形状の第９レンズ素子Ｌ９と、両凸形状の第１０レンズ素子Ｌ１０とからなる。これらのうち、第８レンズ素子Ｌ８と第９レンズ素子Ｌ９とが接合されている。また、第７レンズ素子Ｌ７は、その像側面が非球面であり、第１０レンズ素子Ｌ１０は、その両面が非球面である。
【００３１】
実施の形態２に係るズームレンズ系において、第４レンズ群Ｇ４は、物体側に凸面を向けた負メニスカス形状の第１１レンズ素子Ｌ１１のみからなる。
【００３２】
実施の形態２に係るズームレンズ系において、第５レンズ群Ｇ５は、像側に凸面を向けた正メニスカス形状の第１２レンズ素子Ｌ１２のみからなる。第１２レンズ素子Ｌ１２は、その像側面が非球面である。
【００３３】
実施の形態２に係るズームレンズ系において、撮像時の広角端から望遠端へのズーミングの際に、第１レンズ群Ｇ１は物体側へ移動し、第２レンズ群Ｇ２は像側へ凸の軌跡を描いて物体側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿ってそれぞれ移動する。また、開口絞りＡは、第３レンズ群Ｇ３と一体的に光軸に沿って物体側へ移動する。
【００３４】
また、実施の形態２に係るズームレンズ系において、無限遠合焦状態から近接物体合焦状態へのフォーカシングの際に、第４レンズ群Ｇ４が光軸に沿って像側へと移動する。
【００３５】
さらに、実施の形態２に係るズームレンズ系において、第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００３６】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とが接合されている。
【００３７】
実施の形態３に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、両凹形状の第６レンズ素子Ｌ６とからなる。これらのうち、第４レンズ素子Ｌ４と第５レンズ素子Ｌ５とが接合されている。また、第３レンズ素子Ｌ３は、その両面が非球面であり、第６レンズ素子Ｌ６は、その両面が非球面である。
【００３８】
実施の形態３に係るズームレンズ系において、第３レンズ群Ｇ３は、物体側から像側へと順に、物体側に凸面を向けた負メニスカス形状の第７レンズ素子Ｌ７と、物体側に凸面を向けた正メニスカス形状の第８レンズ素子Ｌ８と、像側に凸面を向けた正メニスカス形状の第９レンズ素子Ｌ９と、像側に凸面を向けた負メニスカス形状の第１０レンズ素子Ｌ１０と、両凸形状の第１１レンズ素子Ｌ１１とからなる。これらのうち、第７レンズ素子Ｌ７と第８レンズ素子Ｌ８とが接合されており、第９レンズ素子Ｌ９と第１０レンズ素子Ｌ１０とが接合されている。また、第８レンズ素子Ｌ８は、その像側面が非球面である。
【００３９】
実施の形態３に係るズームレンズ系において、第４レンズ群Ｇ４は、物体側に凸面を向けた負メニスカス形状の第１２レンズ素子Ｌ１２のみからなる。
【００４０】
実施の形態３に係るズームレンズ系において、第５レンズ群Ｇ５は、両凸形状の第１３レンズ素子Ｌ１３のみからなる。
【００４１】
実施の形態３に係るズームレンズ系において、撮像時の広角端から望遠端へのズーミングの際に、第１レンズ群Ｇ１は物体側へ移動し、第２レンズ群Ｇ２は像側へ凸の軌跡を描いて物体側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿ってそれぞれ移動する。また、開口絞りＡは、独立して光軸に沿って物体側へ移動する。
【００４２】
また、実施の形態３に係るズームレンズ系において、無限遠合焦状態から近接物体合焦状態へのフォーカシングの際に、第４レンズ群Ｇ４が光軸に沿って像側へと移動する。
【００４３】
さらに、実施の形態３に係るズームレンズ系において、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００４４】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００４５】
実施の形態４に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６とからなる。これらのうち、第４レンズ素子Ｌ４と第５レンズ素子Ｌ５とが接合されている。また、第３レンズ素子Ｌ３の物体側面には、透明樹脂層が接合されており、この透明樹脂層の物体側面が非球面である。
【００４６】
実施の形態４に係るズームレンズ系において、第３レンズ群Ｇ３は、物体側から像側へと順に、物体側に凸面を向けた負メニスカス形状の第７レンズ素子Ｌ７と、両凸形状の第８レンズ素子Ｌ８と、像側に凸面を向けた正メニスカス形状の第９レンズ素子Ｌ９と、像側に凸面を向けた負メニスカス形状の第１０レンズ素子Ｌ１０と、両凸形状の第１１レンズ素子Ｌ１１とからなる。これらのうち、第７レンズ素子Ｌ７と第８レンズ素子Ｌ８とが接合されており、第９レンズ素子Ｌ９と第１０レンズ素子Ｌ１０とが接合されている。また、第８レンズ素子Ｌ８は、その像側面が非球面であり、第１１レンズ素子Ｌ１１は、その両面が非球面である。
【００４７】
実施の形態４に係るズームレンズ系において、第４レンズ群Ｇ４は、物体側に凸面を向けた負メニスカス形状の第１２レンズ素子Ｌ１２のみからなる。
【００４８】
実施の形態４に係るズームレンズ系において、第５レンズ群Ｇ５は、両凸形状の第１３レンズ素子Ｌ１３のみからなる。第１３レンズ素子Ｌ１３は、その両面が非球面である。
【００４９】
実施の形態４に係るズームレンズ系において、撮像時の広角端から望遠端へのズーミングの際に、第１レンズ群Ｇ１は物体側へ移動し、第２レンズ群Ｇ２は像側へ凸の軌跡を描いて物体側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿ってそれぞれ移動する。また、開口絞りＡは、第３レンズ群Ｇ３と一体的に光軸に沿って物体側へ移動する。
【００５０】
また、実施の形態４に係るズームレンズ系において、無限遠合焦状態から近接物体合焦状態へのフォーカシングの際に、第５レンズ群Ｇ５が光軸に沿って物体側へと移動する。
【００５１】
さらに、実施の形態４に係るズームレンズ系において、第１１レンズ素子Ｌ１１が後述する像ぶれ補正レンズ群に相当し、該第１１レンズ素子Ｌ１１を光軸に直交する方向に移動させることによって、全系の振動による像点移動を補正する、すなわち、手ぶれ、振動等による像のぶれを光学的に補正することができる。
【００５２】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とが接合されている。
【００５３】
実施の形態５に係るズームレンズ系において、第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５と、像側に凸面を向けた負メニスカス形状の第６レンズ素子Ｌ６とからなる。これらのうち、第４レンズ素子Ｌ４と第５レンズ素子Ｌ５とが接合されている。また、第３レンズ素子Ｌ３の物体側面には、透明樹脂層が接合されており、この透明樹脂層の物体側面が非球面である。
【００５４】
実施の形態５に係るズームレンズ系において、第３レンズ群Ｇ３は、物体側から像側へと順に、物体側に凸面を向けた正メニスカス形状の第７レンズ素子Ｌ７と、両凹形状の第８レンズ素子Ｌ８と、両凸形状の第９レンズ素子Ｌ９と、両凸形状の第１０レンズ素子Ｌ１０とからなる。これらのうち、第８レンズ素子Ｌ８と第９レンズ素子Ｌ９とが接合されている。また、第７レンズ素子Ｌ７は、その両面が非球面であり、第１０レンズ素子Ｌ１０は、その両面が非球面である。
【００５５】
実施の形態５に係るズームレンズ系において、第４レンズ群Ｇ４は、物体側に凸面を向けた負メニスカス形状の第１１レンズ素子Ｌ１１のみからなる。
【００５６】
実施の形態５に係るズームレンズ系において、第５レンズ群Ｇ５は、両凸形状の第１２レンズ素子Ｌ１２のみからなる。第１３レンズ素子Ｌ１３は、その像側面が非球面である。
【００５７】
実施の形態５に係るズームレンズ系において、撮像時の広角端から望遠端へのズーミングの際に、第１レンズ群Ｇ１は物体側へ移動し、第２レンズ群Ｇ２は像側へ凸の軌跡を描いて物体側へ移動し、第３レンズ群Ｇ３は物体側へ移動し、第４レンズ群Ｇ４は物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿ってそれぞれ移動する。また、開口絞りＡは、第３レンズ群Ｇ３と一体的に光軸に沿って物体側へ移動する。
【００５８】
また、実施の形態５に係るズームレンズ系において、無限遠合焦状態から近接物体合焦状態へのフォーカシングの際に、第４レンズ群Ｇ４が光軸に沿って像側へと移動する。
【００５９】
さらに、実施の形態５に係るズームレンズ系において、第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００６０】
以下、例えば実施の形態１〜５に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００６１】
例えば実施の形態１〜５に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とからなり、像のぶれを光学的に補正するために光軸に対して垂直方向に移動する、前記第２レンズ群の一部又は前記第３レンズ群の一部である像ぶれ補正レンズ群を備え、撮像時の広角端から望遠端へのズーミングの際に、前記第１レンズ群と前記第２レンズ群とがそれぞれ像面に対して移動する（以下、このレンズ構成を、実施の形態の基本構成という）ズームレンズ系は、以下の条件（１）を満足する。
ＴmainG／ＴsubG＞３．０  ・・・（１）
ここで、
ＴmainG：像ぶれ補正レンズ群を含むレンズ群の光軸上での厚み、
ＴsubG：像ぶれ補正レンズ群の光軸上での厚み
である。
【００６２】
前記条件（１）は、像ぶれ補正レンズ群を含むレンズ群の光軸上での厚みと、像ぶれ補正レンズ群の光軸上での厚みとの関係を規定する条件である。条件（１）を満足しないと、像ぶれ補正レンズ群の光軸上での厚みが大きくなりすぎ、像ぶれ補正時の偏心非点収差の補正が困難となる。
【００６３】
なお、さらに以下の条件（１）’を満足することにより、前記効果をさらに奏功させることができる。
ＴmainG／ＴsubG＞５．０  ・・・（１）’
【００６４】
例えば実施の形態１〜５に係るズームレンズ系のように、基本構成を有するズームレンズ系は、以下の条件（２）を満足することが好ましい。
１．３＜ｆ1G／｜ｆsubG｜＜８．５  ・・・（２）
ここで、
ｆ1G：第１レンズ群の焦点距離、
ｆsubG：像ぶれ補正レンズ群の焦点距離
である。
【００６５】
前記条件（２）は、第１レンズ群の焦点距離と、像ぶれ補正レンズ群の焦点距離との関係を規定する条件である。条件（２）の下限を下回ると、第１レンズ群の焦点距離が短くなりすぎ、望遠端における非点収差の制御が困難となる。逆に条件（２）の上限を上回ると、像ぶれ補正レンズ群の焦点距離が短くなりすぎ、像ぶれ補正時の偏心非点収差の補正が困難となる。
【００６６】
なお、さらに以下の条件（２）’及び（２）’’の少なくとも１つを満足することにより、前記効果をさらに奏功させることができる。
１．５０＜ｆ1G／｜ｆsubG｜  ・・・（２）’
ｆ1G／｜ｆsubG｜＜２．５１  ・・・（２）’’
【００６７】
例えば実施の形態１〜５に係るズームレンズ系のように、基本構成を有するズームレンズ系は、以下の条件（３）を満足することが好ましい。
１．５＜ＬT／｜ｆsubG｜＜９．０  ・・・（３）
ここで、
ＬT：望遠端におけるレンズ全長（望遠端における、第１レンズ群中で最物体側に配置されるレンズ素子の物体側面から像面までの距離）、
ｆsubG：像ぶれ補正レンズ群の焦点距離
である。
【００６８】
前記条件（３）は、望遠端におけるレンズ全長と、像ぶれ補正レンズ群の焦点距離との関係を規定する条件である。条件（３）の下限を下回ると、望遠端におけるレンズ全長が短くなりすぎ、各レンズ群の焦点距離が短くなりすぎる。これにより、ズーミングに伴う球面収差の変動の制御が困難となる。逆に条件（３）の上限を上回ると、像ぶれ補正レンズ群の焦点距離が短くなりすぎ、望遠端における像ぶれ補正時の偏心非点収差の補正が困難となる。
【００６９】
なお、さらに以下の条件（３）’及び（３）’’の少なくとも１つを満足することにより、前記効果をさらに奏功させることができる。
２．０＜ＬT／｜ｆsubG｜  ・・・（３）’
ＬT／｜ｆsubG｜＜４．３  ・・・（３）’’
【００７０】
実施の形態１〜５に係るズームレンズ系は、像のぶれを光学的に補正するために光軸に対して垂直方向に移動する、第２レンズ群の一部又は第３レンズ群の一部である像ぶれ補正レンズ群を備えている。該像ぶれ補正レンズ群により、全系の振動による像点移動を補正することができる。
【００７１】
全系の振動による像点移動を補正する際に、このように像ぶれ補正レンズ群が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７２】
前記像ぶれ補正レンズ群は、該像ぶれ補正レンズ群を含むレンズ群の中で、最も像側に配置されていることが望ましい。像ぶれ補正レンズ群が最も像側に配置されていないと、該像ぶれ補正レンズ群の駆動機構の構成が複雑になり、コンパクトなレンズ鏡筒や交換レンズ装置及びカメラシステムを提供することが困難となる。また、像ぶれ補正時のサジタル像面の片ボケの補正が困難となる。
【００７３】
また、像ぶれ補正レンズ群は、第２レンズ群又は第３レンズ群を構成する全レンズ素子のうちのいずれか１枚のレンズ素子又は隣り合った複数のレンズ素子からなればよいが、１枚のレンズ素子からなることが望ましい。像ぶれ補正レンズ群が複数のレンズ素子で構成されていると、該像ぶれ補正レンズ群の駆動機構の構成が肥大化し、コンパクトなレンズ鏡筒や交換レンズ装置及びカメラシステムを提供することが困難となる。
【００７４】
実施の形態１〜５に係るズームレンズ系のように、第１レンズ群は、２枚以下のレンズ素子からなることが望ましい。第１レンズ群が３枚以上のレンズ素子で構成されていると、第１レンズ群の径が肥大化し、広角端における非点収差の補正が困難となる。
【００７５】
実施の形態１〜５に係るズームレンズ系のように、第５レンズ群は、１枚のレンズ素子からなることが望ましい。第５レンズ群が複数のレンズ素子で構成されていると、望遠端における像面湾曲の補正が困難となる。
【００７６】
また、実施の形態１〜５に係るズームレンズ系のように、第５レンズ群は、撮像時の広角端から望遠端へのズーミングの際に、像面に対して固定されていることが望ましい。第５レンズ群がズーミングの際に像面に対して移動すると、該第５レンズ群を保持する枠が大きくなりすぎ、コンパクトなレンズ鏡筒や交換レンズ装置及びカメラシステムを提供することが困難となる。さらに、第５レンズ群の焦点距離が長くなりすぎ、望遠端における像面湾曲の補正が困難となる。
【００７７】
実施の形態１〜５に係るズームレンズ系のように、無限遠合焦状態から近接物体合焦状態へのフォーカシングの際に像面に対して移動するフォーカシングレンズ群を備え、該フォーカシングレンズ群が、１枚のレンズ素子からなることが望ましい。フォーカシングレンズ群が複数のレンズ素子で構成されていると、俊敏なフォーカシングの達成が困難となる。
【００７８】
また、実施の形態２、３及び５に係るズームレンズ系のように、第３レンズ群内の最も物体側の空気レンズが、両凸形状であることが望ましい。第３レンズ群内の最も物体側の空気レンズが両凸形状である場合には、広角端における球面収差の補正をより良好に行うことができる。
【００７９】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００８０】
（実施の形態６）
図１６は、実施の形態６に係るレンズ交換式デジタルカメラシステムの概略構成図である。
【００８１】
本実施の形態６に係るレンズ交換式デジタルカメラシステム１００は、カメラ本体１０１と、カメラ本体１０１に着脱自在に接続される交換レンズ装置２０１とを備える。
【００８２】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係るズームレンズ系２０２と、ズームレンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１６においては、ズームレンズ系２０２として実施の形態１に係るズームレンズ系を用いた場合を図示している。
【００８３】
本実施の形態６では、実施の形態１〜５いずれかに係るズームレンズ系２０２を用いているので、コンパクトで結像性能に優れた交換レンズ装置を低コストで実現することができる。また、本実施の形態６に係るカメラシステム１００全体の小型化及び低コスト化も達成することができる。なお、これら実施の形態１〜５に係るズームレンズ系は、全てのズーミング域を使用する必要はない。すなわち、所望のズーミング域に応じて、光学性能が確保されている範囲を切り出し、以下の対応する数値実施例１〜５で説明するズームレンズ系よりも低倍率のズームレンズ系として使用してもよい。
【００８４】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2012212106.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００８５】
図２、５、８、１１及び１４は、各々数値実施例１〜５に係るズームレンズ系の無限遠合焦状態の縦収差図である。
【００８６】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）、一点鎖線はｇ線（ｇ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００８７】
また図３、６、９、１２及び１５は、各々数値実施例１〜５に係るズームレンズ系の望遠端における横収差図である。
【００８８】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。なお各横収差図において、メリディオナル平面を、第１レンズ群Ｇ１の光軸と第２レンズ群Ｇ２の光軸とを含む平面（数値実施例３）又は第１レンズ群Ｇ１の光軸と第３レンズ群Ｇ３の光軸とを含む平面（数値実施例１、２、４及び５）としている。
【００８９】
なお、各数値実施例のズームレンズ系について、望遠端における、像ぶれ補正状態での像ぶれ補正レンズ群の光軸と垂直な方向への移動量は、以下に示すとおりである。
数値実施例１  ０．２００ｍｍ
数値実施例２  ０．１６０ｍｍ
数値実施例３  ０．３００ｍｍ
数値実施例４  ０．２００ｍｍ
数値実施例５  ０．１２０ｍｍ
【００９０】
撮影距離が∞で望遠端において、ズームレンズ系が０．４°だけ傾いた場合の像偏心量は、像ぶれ補正レンズ群が光軸と垂直な方向に上記の各値だけ平行移動するときの像偏心量に等しい。
【００９１】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．４°までの像ぶれ補正角に対して、結像特性を低下させることなく充分な像ぶれ補正を行うことが可能である。
【００９２】
（数値実施例１）
数値実施例１のズームレンズ系は、図１に示した実施の形態１に対応する。数値実施例１のズームレンズ系の面データを表１に、非球面データを表２に、各種データを表３に示す。
【００９３】
表  １（面データ）
面番号         r           d           nd         vd
物面             ∞
1         46.56480     1.50000     1.84666    23.8 
2         31.80790     6.46400     1.77250    49.6 
3        194.87370        可変
4*       133.72500     1.00000     1.88202    37.2 
5*        11.99180     5.11050 
6        -40.62420     0.70000     1.70154    41.1 
7         16.72220     3.88980     1.92286    20.9 
8        -52.04510     2.59450 
9*       -12.84400     1.00000     1.80610    40.7 
10        -19.95800        可変
11(絞り)           ∞     1.50000
12         19.13050     3.08930     1.84666    23.8 
13         14.31570     2.84000     1.58913    61.3 
14*      -277.48550     1.99460 
15        -33.06230     5.68070     1.59282    68.6 
16        -11.77870     0.70000     1.92286    20.9 
17        -14.70730     1.00000 
18*        28.58940     2.96360     1.51845    70.0 
19*       -44.72510        可変
20         65.42230     0.70000     1.74950    35.0 
21         18.62770        可変
22       -226.93210     3.95860     1.84666    23.8 
23        -45.58570        (BF) 
像面             ∞
【００９４】
表  ２（非球面データ）
第4面
K= 0.00000E+00, A4= 6.64668E-05, A6=-2.84118E-07, A8= 6.25525E-10
A10= 0.00000E+00 
第5面
K= 0.00000E+00, A4= 5.54426E-05, A6= 1.90885E-07, A8= 2.57948E-09
A10=-4.89308E-12 
第9面
K= 0.00000E+00, A4= 2.01586E-05, A6= 3.61764E-07, A8=-3.69683E-09
A10= 1.91593E-11 
第14面
K= 0.00000E+00, A4= 9.23458E-05, A6= 1.59711E-07, A8= 9.09639E-10
A10=-1.77556E-11 
第18面
K= 0.00000E+00, A4=-2.85196E-05, A6=-2.27314E-08, A8= 1.43135E-10
A10=-1.08350E-12 
第19面
K= 0.00000E+00, A4=-1.05035E-05, A6=-1.75961E-08, A8=-1.49536E-10
A10= 0.00000E+00
【００９５】
表  ３（各種データ）
ズーム比     2.75039
広角      中間      望遠
焦点距離      12.3628   20.5037   34.0025
Ｆナンバー     2.82859   2.85057   2.91257
画角        41.9636   28.2703   17.3406
像高        10.0000   10.8150   10.8150
光学全長     84.4390   90.7009  108.5390
d3           0.6000    6.3474   20.3334 
d10         12.7430    4.5346    1.0000 
d19          2.0000    2.4285    2.0000 
d21          8.0000   16.2944   24.1096 
入射瞳位置     18.4284   25.5267   54.8371
射出瞳位置    -66.5649 -101.2176 -157.4588
前側主点位置   28.4973   41.8785   81.4984
後側主点位置   72.1413   70.2338   74.5687
ズームレンズ群データ
群   始面    焦点距離  レンズ構成長    前側主点位置  後側主点位置
1      1    81.90412     7.96400        -1.60513       2.00956
2      4   -12.82855    14.29480         1.44731       5.10202
3     11    16.16475    19.76820        10.80729      13.61390
4     20   -34.97114     0.70000         0.56300       0.86030
5     22    66.70830     3.95860         2.65593       4.49212
【００９６】
（数値実施例２）
数値実施例２のズームレンズ系は、図４に示した実施の形態２に対応する。数値実施例２のズームレンズ系の面データを表４に、非球面データを表５に、各種データを表６に示す。
【００９７】
表  ４（面データ）
面番号         r           d           nd         vd
物面             ∞
1         61.17090     1.50000     2.10205    16.8 
2*        43.75380     0.50000 
3         34.17190     6.76700     1.81550    44.4 
4        777.73550        可変
5*       141.32940     1.00000     1.88202    37.2 
6*        10.68920     4.31210 
7       -228.29100     0.70000     1.60368    50.3 
8         12.21750     3.49100     1.92286    20.9 
9         91.38360     2.50000 
10*       -16.62500     1.00000     1.80139    45.4 
11        -24.86500        可変
12(絞り)           ∞     1.50000
13         19.28640     2.39090     1.61881    63.9 
14*       299.33480     2.18510 
15        -22.43550     4.54530     1.59282    68.6 
16         -8.37970     0.70000     1.90366    31.3 
17        -11.66580     1.00000 
18*        23.32070     2.85180     1.58913    61.3 
19*       -39.24490        可変
20         47.80150     0.70000     1.84666    23.8 
21         14.09310        可変
22       -142.52320     5.83060     1.82115    24.1 
23*       -33.63690        (BF) 
像面             ∞
【００９８】
表  ５（非球面データ）
第2面
K= 0.00000E+00, A4= 5.52161E-07, A6= 7.17077E-10, A8= 7.29088E-13
A10= 0.00000E+00 
第5面
K= 0.00000E+00, A4= 6.17222E-05, A6=-4.01792E-07, A8= 7.82240E-10
A10= 0.00000E+00 
第6面
K= 0.00000E+00, A4= 7.09700E-05, A6=-3.19609E-07, A8= 1.92166E-08
A10=-1.97353E-10 
第10面
K= 0.00000E+00, A4= 1.16544E-05, A6= 9.35916E-07, A8=-1.96846E-08
A10= 1.51878E-10 
第14面
K= 0.00000E+00, A4= 9.04204E-05, A6= 7.41893E-07, A8=-5.78817E-09
A10=-1.00886E-11 
第18面
K= 0.00000E+00, A4=-7.19325E-05, A6=-1.77148E-07, A8= 3.52431E-09
A10=-1.29793E-11 
第19面
K= 0.00000E+00, A4=-4.30272E-05, A6=-5.39419E-08, A8= 1.16011E-09
A10= 0.00000E+00 
第23面
K= 0.00000E+00, A4=-2.07789E-08, A6=-3.34311E-08, A8=-4.42426E-12
A10= 0.00000E+00
【００９９】
表  ６（各種データ）
ズーム比     2.75001
広角      中間      望遠
焦点距離      12.3627   20.5018   33.9974
Ｆナンバー     2.76954   2.88596   2.91265
画角        41.9656   28.0358   17.3265
像高        10.0000   10.8150   10.8150
光学全長     77.9511   82.4834   97.5242
d4           0.6000    5.9204   17.4364 
d11         11.3389    3.6837    1.0000 
d19          2.0000    2.6931    2.0676 
d21          5.3817   11.5557   18.3897 
入射瞳位置     18.4872   25.3196   52.6540
射出瞳位置    -55.7954  -81.6433 -131.5344
前側主点位置   28.1132   40.6742   77.8627
後側主点位置   65.6415   62.0005   63.5051
ズームレンズ群データ
群   始面    焦点距離  レンズ構成長    前側主点位置  後側主点位置
1      1    63.21640     8.76700         0.38285       4.21411
2      5   -12.27921    13.00310         1.39435       4.89610
3     12    13.45117    15.17310         8.96424      11.41585
4     20   -23.83163     0.70000         0.54271       0.86000
5     22    52.35362     5.83060         4.09185       6.79632
【０１００】
（数値実施例３）
数値実施例３のズームレンズ系は、図７に示した実施の形態３に対応する。数値実施例３のズームレンズ系の面データを表７に、非球面データを表８に、各種データを表９に示す。
【０１０１】
表  ７（面データ）
面番号         r           d           nd         vd
物面             ∞
1         35.60130     1.50000     1.84666    23.8 
2         27.06370     7.38170     1.77250    49.6 
3        114.75730        可変
4*      5000.00000     1.00000     1.88202    37.2 
5*        10.26040     5.14670 
6        -42.37640     0.80000     1.59282    68.6 
7         12.17630     5.46660     1.85000    32.4 
8        -35.19200     1.56560 
9*       -31.92670     1.00000     1.69350    53.2 
10*       306.76460        可変
11(絞り)           ∞        可変
12         13.09760     3.49910     1.84666    23.8 
13          9.12440     3.61090     1.51845    70.0 
14*       550.61270     1.93090 
15        -30.50480     2.50330     1.48749    70.4 
16        -11.44060     0.80000     1.92286    20.9 
17        -15.32890     0.20000 
18        131.77220     2.72210     1.69350    53.3 
19        -22.26800        可変
20        720.65850     0.80000     1.67270    32.2 
21         21.86330        可変
22         91.44560     2.41440     1.84666    23.8 
23        -78.44720        (BF) 
像面             ∞
【０１０２】
表  ８（非球面データ）
第4面
K= 0.00000E+00, A4= 3.64083E-05, A6=-1.09762E-07, A8= 1.23307E-10
第5面
K= 0.00000E+00, A4=-5.91742E-06, A6=-5.18192E-08, A8= 2.31060E-09
第9面
K= 0.00000E+00, A4=-2.39415E-04, A6= 4.06613E-06, A8=-2.17154E-08
第10面
K= 0.00000E+00, A4=-2.23523E-04, A6= 4.02796E-06, A8=-2.28041E-08
第14面
K= 0.00000E+00, A4= 1.65010E-04, A6= 1.28378E-07, A8= 1.30228E-09
【０１０３】
表  ９（各種データ）
ズーム比     2.75007
広角      中間      望遠
焦点距離      12.3619   20.5019   33.9963
Ｆナンバー     2.89409   2.81379   2.91284
画角        41.9358   28.0781   17.3340
像高        10.0000   10.8150   10.8150
光学全長     81.5389   84.9915  100.6945
ＢＦ        0.00000   0.00000   0.00000
d3           1.0000    7.9940   17.7078 
d10         10.9431    3.2455    1.5000 
d11          4.3000    3.0000    1.5000 
d19          2.0000    3.8270    2.5000 
d21          3.5945    7.2237   17.7854 
入射瞳位置     19.7610   30.9223   57.4091
射出瞳位置    -62.7077  -69.7335 -119.4275
前側主点位置   29.6879   45.4017   81.7241
後側主点位置   69.2272   64.5491   66.6509
ズームレンズ群データ
群   始面    焦点距離  レンズ構成長    前側主点位置  後側主点位置
1      1    66.29441     8.88170        -2.37271       1.77715
2      4   -13.25968    14.97890         0.26457       4.26363
3     12    16.76783    15.26630         7.25847       9.11211
4     20   -33.53311     0.80000         0.49346       0.81497
5     22    50.19881     2.41440         0.70835       1.80674
【０１０４】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１０５】
表  １０（面データ）
面番号         r           d           nd         vd
物面             ∞
1         47.44810     1.50000     1.84666    23.8 
2         31.67890     0.01000     1.56732    42.8 
3         31.67890     7.18960     1.77250    49.6 
4        216.82340        可変
5*        84.41100     0.10000     1.51358    51.6 
6         54.70290     1.00000     1.91082    35.2 
7         10.85120     5.44560 
8        -30.21860     0.80000     1.66422    49.2 
9         13.97590     4.43370     2.00069    25.5 
10        -53.27650     1.76890 
11        -18.46780     0.70000     1.90366    31.3 
12        -33.86630        可変
13(絞り)           ∞     1.50000
14         18.55120     3.83540     1.74077    27.8 
15         11.55510     3.34470     1.58913    61.3 
16*     -3000.00000     2.65780 
17        -17.95930     3.46840     1.49700    81.6 
18         -9.10520     0.70000     1.72342    38.0 
19        -13.23550     1.00000 
20*        24.87750     3.50410     1.58913    61.3 
21*       -28.35100        可変
22         54.07680     0.70000     1.90366    31.3 
23         18.60350        可変
24*       104.82190     4.28520     1.81000    41.0 
25*       -75.81830        (BF) 
像面             ∞
【０１０６】
表  １１（非球面データ）
第5面
K= 0.00000E+00, A4= 3.23262E-05, A6=-1.51447E-07, A8= 1.49188E-09
A10=-1.77365E-11, A12= 1.71943E-13, A14=-9.60486E-16, A16= 2.23845E-18 
第16面
K= 0.00000E+00, A4= 4.95653E-05, A6= 4.36297E-07, A8=-1.43081E-08
A10= 1.78841E-10, A12= 1.14002E-13, A14=-1.79465E-14, A16= 0.00000E+00 
第20面
K= 0.00000E+00, A4=-3.49368E-05, A6= 4.42209E-07, A8=-1.05520E-08
A10= 1.97124E-10, A12=-2.30284E-12, A14= 1.02377E-14, A16= 0.00000E+00 
第21面
K= 0.00000E+00, A4= 5.01002E-06, A6= 1.30223E-07, A8= 4.29262E-09
A10=-1.73008E-10, A12= 2.24723E-12, A14=-1.14875E-14, A16= 0.00000E+00 
第24面
K= 0.00000E+00, A4=-2.17817E-05, A6= 2.77427E-07, A8=-2.40522E-09
A10= 1.71336E-11, A12=-9.07006E-14, A14= 2.48919E-16, A16= 0.00000E+00 
第25面
K= 0.00000E+00, A4=-1.74336E-05, A6=-1.35455E-07, A8= 5.35817E-09
A10=-5.65794E-11, A12= 2.59090E-13, A14=-4.14278E-16, A16= 0.00000E+00
【０１０７】
表  １２（各種データ）
ズーム比     2.75034
広角      中間      望遠
焦点距離      12.3633   20.5015   34.0034
Ｆナンバー     2.87984   2.83156   2.91270
画角        41.8706   28.2617   17.4072
像高        10.0000   10.8150   10.8150
光学全長     86.2222   91.5851  110.3829
d4           0.6000    6.9581   20.8424 
d12         13.5945    4.4160    1.0000 
d21          2.0000    2.8153    2.0376 
d23          7.0092   14.3772   23.4844 
入射瞳位置     19.3413   27.1874   57.1968
射出瞳位置    -73.8353 -117.5475 -254.5615
前側主点位置   29.6346   44.1137   86.6585
後側主点位置   73.8656   71.0998   76.4056
ズームレンズ群データ
群   始面    焦点距離  レンズ構成長    前側主点位置  後側主点位置
1      1    81.63256     8.69960        -1.57185       2.36724
2      5   -13.95373    14.24820         1.02850       4.82561
3     13    16.58980    20.01040        12.13561      13.95080
4     22   -31.68015     0.70000         0.56586       0.89467
5     24    54.89887     4.28520         1.38856       3.28084
【０１０８】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１０９】
表  １３（面データ）
面番号         r           d           nd         vd
物面             ∞
1         58.61210     1.50000     1.84666    23.8 
2         38.36070    10.17650     1.77250    49.6 
3        258.92410        可変
4*        85.92700     0.10000     1.51358    51.6 
5         50.15090     1.00000     1.88300    40.8 
6         11.94380     6.45430 
7        -24.00780     0.80000     1.63041    58.7 
8         16.59710     7.85820     2.00069    25.5 
9        -71.64400     2.32180 
10        -15.52280     0.70000     1.84666    23.8 
11        -22.19310        可変
12(絞り)           ∞     1.50000
13*        20.14210     5.00000     1.73077    40.5 
14*        43.07590     1.52830 
15      -3549.00000     3.55870     1.83233    26.9 
16         19.00960     4.01970     1.49700    81.6 
17        -26.42980     1.00000 
18*        26.41150     6.99390     1.58913    61.3 
19*       -21.14710        可変
20         64.65560     0.70000     1.72584    50.7 
21         18.19200        可変
22         80.60590     3.85830     1.81000    41.0 
23*      -157.03860        (BF) 
像面             ∞
【０１１０】
表  １４（非球面データ）
第4面
K= 0.00000E+00, A4= 3.07455E-05, A6=-9.94711E-08, A8= 6.84142E-10
A10=-9.86712E-12, A12= 1.30757E-13, A14=-7.71155E-16, A16= 1.68039E-18 
第13面
K= 0.00000E+00, A4=-2.76441E-05, A6=-1.66065E-07, A8= 9.41781E-10
A10=-1.30353E-11, A12= 4.30260E-15, A14= 1.45715E-16, A16= 0.00000E+00 
第14面
K= 0.00000E+00, A4=-1.20410E-05, A6=-3.93727E-08, A8=-3.15440E-09
A10= 1.27436E-11, A12= 8.80301E-13, A14=-1.17203E-14, A16= 0.00000E+00 
第18面
K= 0.00000E+00, A4=-6.54840E-05, A6= 9.13347E-08, A8=-1.13091E-08
A10= 9.46366E-11, A12=-2.13942E-13, A14=-6.25779E-15, A16= 0.00000E+00 
第19面
K= 0.00000E+00, A4=-1.15053E-05, A6=-1.08702E-07, A8=-2.15758E-09
A10=-6.18548E-11, A12= 1.07786E-12, A14=-7.08738E-15, A16= 0.00000E+00 
第23面
K= 0.00000E+00, A4=-7.52127E-08, A6=-2.87621E-07, A8= 5.70372E-09
A10=-5.90855E-11, A12= 3.05132E-13, A14=-6.21957E-16, A16= 0.00000E+00
【０１１１】
表  １５（各種データ）
ズーム比     2.75023
広角      中間      望遠
焦点距離      12.3618   20.5023   33.9978
Ｆナンバー     2.77632   2.82217   2.91265
画角        41.9516   28.1578   17.4607
像高        10.0000   10.8150   10.8150
光学全長     98.7863  106.9169  128.1598
d3           0.6000   11.2728   27.7689 
d11         14.3588    4.7781    1.0000 
d19          2.2255    3.0645    2.0918 
d21          7.0976   13.2971   22.7947 
入射瞳位置     22.7742   38.5972   77.3709
射出瞳位置    -69.6603  -94.2993 -157.7777
前側主点位置   32.9425   54.6426  104.0439
後側主点位置   86.4311   86.4283   94.1841
ズームレンズ群データ
群   始面    焦点距離  レンズ構成長    前側主点位置  後側主点位置
1      1   102.03267    11.67650        -2.15799       3.13652
2      4   -14.68979    19.23430         1.44323       7.07608
3     12    17.83862    23.60060        12.94928      16.67973
4     20   -35.09898     0.70000         0.56800       0.85982
5     22    66.24133     3.85830         0.72832       2.43936
【０１１２】
以下の表１６に、各数値実施例のズームレンズ系における各条件の対応値を示す。
【０１１３】
表  １６（条件の対応値）
【表１】
2012212106.tif 000004
【産業上の利用可能性】
【０１１４】
本発明に係るズームレンズ系は、デジタルスチルカメラ、デジタルビデオカメラ、スマートフォン等の携帯情報端末、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【０１１５】
また本発明に係るズームレンズ系は、本発明に係る交換レンズ装置の中でも、デジタルビデオカメラシステムに備えられる、ズームレンズ系をモータにより駆動する電動ズーム機能を搭載した交換レンズ装置に適用することが可能である。
【符号の説明】
【０１１６】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2012212106.tif 000005
【図２】
2012212106.tif 000006
【図３】
2012212106.tif 000007
【図４】
2012212106.tif 000008
【図５】
2012212106.tif 000009
【図６】
2012212106.tif 000010
【図７】
2012212106.tif 000011
【図８】
2012212106.tif 000012
【図９】
2012212106.tif 000013
【図１０】
2012212106.tif 000014
【図１１】
2012212106.tif 000015
【図１２】
2012212106.tif 000016
【図１３】
2012212106.tif 000017
【図１４】
2012212106.tif 000018
【図１５】
2012212106.tif 000019
【図１６】
2012212106.tif 000020